(57)【要約】【課題】部品点数を少なくすることができ、構造を簡易化することができる櫓の脚体を提供する。【解決手段】櫓１０における支持枠１２の四隅の脚体取付部１５ａには脚体１３が取着されている。脚体１３は脚体取付部１５ａに取り付けられた取付体１６とその取付体１６に支軸１８により回動可能に軸支された脚本体１７とより形成されている。脚本体１７の上部の挿入部２１内には板ばね２７が収納されている。そして、脚本体１７を支持枠１２に対して起立した起立位置から折り曲げ位置に回動させると、支軸１８と挿入部２１の上壁の裏面との間で板ばね２７が圧縮される。その板ばね２７の復元力により、脚本体１７は折り曲げ位置から起立位置方向へ回動するように付勢されている。【選択図】　　　図１
2004065588.tif 000002
【特許請求の範囲】
【請求項１】
支持体と、同支持体の脚体取付部に取り付けられた脚体とより構成される櫓の前記脚体であって、前記脚体取付部に取り付けられた取付体と、同取付体に支軸で軸支された脚本体とより構成され、当該脚本体は、支持体に対して起立された起立位置と支持体の内方へ折り畳まれた折り曲げ位置との二位置を回動によって変位可能に形成されているとともに、脚本体内に設けられた付勢部材の付勢力により前記折り曲げ位置から起立位置へ回動する方向に付勢され、さらに、取付体と脚本体との間に前記起立位置における脚本体の回動を規制する規制手段及び前記折り曲げ位置に脚本体を保持する保持手段が設けられていることを特徴とする櫓の脚体。
【請求項２】
下方に開口を有する箱状に形成された前記取付体の側壁に横方向へ延びる取付体長孔が形成され、前記取付体内に下方から挿入された脚本体の挿入部に、前記起立位置で上下方向に延びる脚本体長孔が形成されるとともに、当該脚本体長孔と前記取付体長孔とに前記支軸が挿通されることによって取付体に脚本体が軸支され、さらに、前記挿入部内に位置する支軸と当該挿入部の内面との間に前記付勢部材が設けられ、脚本体の起立位置から折り曲げ位置への回動に伴い支軸が取付体長孔内を移動することにより、当該支軸と、挿入部の内面との間で前記付勢部材が圧縮され、同圧縮された付勢部材の復元力によって脚本体が折り曲げ位置から起立位置へ回動する方向に付勢されていることを特徴とする請求項１に記載の櫓の脚体。
【請求項３】
前記規制手段は取付体に設けられた凸部と、脚本体に設けられた凹部とが嵌合することにより形成されることを特徴とする請求項１又は請求項２に記載の櫓の脚体。
【請求項４】
前記保持手段は脚本体に設けられた係合凸部と、取付体に設けられた係合凹部とが係合することにより形成されることを特徴とする請求項１〜請求項３のいずれか一項に記載の櫓の脚体。
【発明の詳細な説明】
【０００１】
【発明の属する技術分野】
本発明は、例えば櫓こたつの櫓に、折り曲げ可能に設けられた脚体に関するものである。
【０００２】
【従来の技術】
櫓の脚体としては、例えば、以下に示す構成のものが挙げられる。櫓を構成する支持体としての支持枠は平面視四角枠状に形成され、その支持枠の各コーナ部に設けられた脚取付金具には、それぞれ櫓を構成する脚体が折り曲げ自在に枢着されている。
【０００３】
前記脚体は、脚取付金具に固定された平面Ｕ字状の金属板よりなる上ヒンジ体と、前記上ヒンジ体に支軸で軸支された平面Ｕ字状の金属板よりなる下ヒンジ体と、当該下ヒンジ体が内装された支持脚とより主に形成されている。また、前記上ヒンジ体には、下向きに延びるストッパー片が形成されている。一方、前記支持脚内には板状をなす作動子が、前記下ヒンジ体に沿って上下動可能に配設され、同作動子はスプリングにより常に押し上げられている。さらに、前記作動子の上部位置にはスプリングにより上方に常に押し上げられたロック釦が配設されている。
【０００４】
そして、脚体を支持枠に対して直角に起立する起立位置状態に配置するには、支持脚を手で外側へ押し出して、支持脚の上端と支持枠の下面とが当接して回動が規制される位置まで支軸を回動中心として回動させる。すると、前記ストッパー片が作動子の複数箇所に掛止して支持脚の回動を規制し、支持脚、即ち脚体が起立位置に配置された状態が保持されるようになっている。
【０００５】
一方、脚体を前記起立位置から支持枠に対してほぼ平行に折り曲げられた折り曲げ位置状態に配設するには、まず、前記ロック釦を下方へ押圧する。すると、そのロック釦により作動子が下方へ押圧されて、ストッパー片に対する作動子の掛止が解除される。その掛止の解除状態で支持脚を手で支持枠の内側へ押し出し、支持脚の外側面と支持枠の下面とが当接して回動が規制される位置まで回動させる。その結果、支持脚、即ち脚体が折り曲げ位置に配置される。
【０００６】
【発明が解決しようとする課題】
ところが、上記従来の櫓の脚体において、脚体を起立位置に保持するために作動子を必要とし、脚体の起立位置における保持を解除するためにロック釦を必要としていた。そのため、櫓の脚体における部品点数が多く、構造が複雑であるという問題があった。
【０００７】
本発明は、上記従来技術に存在する問題点に着目してなされたものである。その目的とするところは、部品点数を少なくすることができ、構造を簡易化することができる櫓の脚体を提供することにある。
【０００８】
【課題を解決するための手段】
上記問題点を解決するために、請求項１に記載の発明は、支持体と、同支持体の脚体取付部に取り付けられた脚体とより構成される櫓の前記脚体であって、前記脚体取付部に取り付けられた取付体と、同取付体に支軸で軸支された脚本体とより構成され、当該脚本体は、支持体に対して起立された起立位置と支持体の内方へ折り畳まれた折り曲げ位置との二位置を回動によって変位可能に形成されているとともに、脚本体内に設けられた付勢部材の付勢力により前記折り曲げ位置から起立位置へ回動する方向に付勢され、さらに、取付体と脚本体との間に前記起立位置における脚本体の回動を規制する規制手段及び前記折り曲げ位置に脚本体を保持する保持手段が設けられていることを要旨とする。
【０００９】
請求項２に記載の発明は、請求項１に記載の櫓の脚体において、下方に開口を有する箱状に形成された前記取付体の側壁に横方向へ延びる取付体長孔が形成され、前記取付体内に下方から挿入された脚本体の挿入部に、前記起立位置で上下方向に延びる脚本体長孔が形成されるとともに、当該脚本体長孔と前記取付体長孔とに前記支軸が挿通されることによって取付体に脚本体が軸支され、さらに、前記挿入部内に位置する支軸と当該挿入部の内面との間に前記付勢部材が設けられ、脚本体の起立位置から折り曲げ位置への回動に伴い支軸が取付体長孔内を移動することにより、当該支軸と、挿入部の内面との間で前記付勢部材が圧縮され、同圧縮された付勢部材の復元力によって脚本体が折り曲げ位置から起立位置へ回動する方向に付勢されていることを要旨とする。
【００１０】
請求項３に記載の発明は、請求項１又は請求項２に記載の櫓の脚体において、前記規制手段は取付体に設けられた凸部と、脚本体に設けられた凹部とが嵌合することにより形成されることを要旨とする。
【００１１】
請求項４に記載の発明は、請求項１〜請求項３のいずれか一項に記載の櫓の脚体において、前記保持手段は脚本体に設けられた係合凸部と、取付体に設けられた係合凹部とが係合することにより形成されることを要旨とする。
【００１２】
【発明の実施の形態】
以下、本発明を櫓こたつの脚体に具体化した櫓の脚体の一実施形態を図１〜図６に従って説明する。
【００１３】
まず、図２に示す櫓１０を備えた櫓こたつ１１について説明する。前記櫓１０は、合成樹脂製の支持体としての支持枠１２と、同支持枠１２のコーナ部材１５に取り付けられた合成樹脂製の脚体１３とより構成されている。そして、櫓１０の支持枠１２の下面に図示しない電熱ヒーター等が設けられ、かつ支持枠１２の上面に図示しない布団、天板Ｔが設けられることにより、櫓こたつ１１が形成される。
【００１４】
前記支持枠１２は四角枠状に形成され、同支持枠１２の四隅にはコーナ部材１５が設けられている。図３に示すように、平面視略くの字状をなすコーナ部材１５は、中央部には下方に開口する略筒状をなす前記脚体取付部１５ａを備え、その脚体取付部１５ａの両側に２点鎖線で示す辺部Ｈを連結するための連結部１５ｂが設けられている。前記脚体取付部１５ａには、下方に開口する挿入空間Ｓが形成され、脚体取付部１５ａの支持枠１２の内側に臨む側面は下側から切り欠かれている。
【００１５】
次に、前記脚体１３について説明する。脚体１３は前記脚体取付部１５ａに取り付けられた取付体１６と、同取付体１６に支軸１８で回動可能に軸支された脚本体１７とより構成されている。図１及び図３に示すように、前記取付体１６は下方に開口する四角箱状に形成され、相対向する一対の側壁の下端からはそれぞれ外方へ延びる取付片１６ａが形成されている。各取付片１６ａにはそれぞれ取付孔１６ｂが貫設され、取付孔１６ｂから前記脚体取付部１５ａの下面にビス（図示せず）等を螺合することにより、取付体１６が脚体取付部１５ａに取り付けられている。
【００１６】
図３において、取付体１６の上壁には、規制手段を形成する凹部としての嵌合孔１６ｃが形成されるとともに、取付体１６の相対向する一対の側壁の下端には、規制手段を形成する凹部としての嵌合溝１６ｄが形成されている。さらに、図３において、取付体１６における上記相対向する一対の側壁の内面には、それぞれ取付体１６の上下方向に延びるガイド溝１９が凹設されている。
【００１７】
図１に示すように、各ガイド溝１９は、その横方向への幅が、同ガイド溝１９の上下方向におけるほぼ中央より下側が幅広に形成されている。即ち、ガイド溝１９の上下方向に延びる一側縁の中央が円弧状に膨出して幅広に形成され、その円弧状に膨出した部位に保持手段を形成する係合凹部１９ａが形成されている。
【００１８】
また、図３において、取付体１６の前記相対向する一対の側壁には、それぞれ横方向に延びる取付体長孔２０が穿設され、図１に示すように、各取付体長孔２０は前記ガイド溝１９の延びる方向と直交するように形成されているとともに、取付体長孔２０の一端側がガイド溝１９内に位置している。
【００１９】
次に、前記脚本体１７について説明すると、図３に示すように、脚本体１７はそれぞれ略四角筒状をなし、各脚本体１７の一端部（上端部）には、それぞれ脚本体１７の他端側（下端側）より小径となる挿入部２１が形成されている。各挿入部２１はそれぞれ前記取付体１６の挿入空間Ｓ内へ下方から挿入可能に形成されている。
【００２０】
前記挿入部２１はそれぞれ四角筒状に形成され、挿入部２１の相対向する一対の側壁の上部外面からはそれぞれ外方へ突出し、保持手段を形成する係合凸部としてのガイド凸部２２が形成されている。このガイド凸部２２は挿入部２１を挿入空間Ｓ内へ挿入したとき、前記ガイド溝１９内に配置され、脚本体１７を回動させたとき、ガイド溝１９に沿って上下方向に案内されるようになっている。各ガイド凸部２２の下側には、それぞれ脚本体１７の長さ方向に延びる脚本体長孔２３が挿入部２１の側壁を貫通して形成されている。
【００２１】
挿入部２１の上壁の外面には、規制手段を形成する凸部としての嵌合突部２４が、前記嵌合孔１６ｃに嵌合可能に形成されている。また、図３において、相対向する挿入部２１の一対の側壁の下端の外面には、前記嵌合溝１６ｄに嵌合して、同嵌合溝１６ｄと規制手段を形成する凸部としての嵌合突起２５が形成されている。また、図１に示すように、挿入部２１内において、嵌合突部２４が形成された上壁の下面から前記ガイド溝１９が形成された側壁の内面にかけて取付溝２６が凹設されている。
【００２２】
そして、取付体１６内に挿入部２１が挿入された状態で、一方の取付体長孔２０から脚本体長孔２３に支軸１８が挿通され、さらに、他方の取付体長孔２０に支軸１８が挿通されて取付体１６に脚本体１７が回動可能に軸支されている。取付体１６に対する脚本体１７の取付状態において、一対のガイド溝１９内にそれぞれガイド凸部２２が配置されている。
【００２３】
また、挿入部２１内には付勢部材としての板ばね２７が配設されている。この板ばね２７は四角板状をなす金属板を略Ｃ字状に曲げ形成し、さらに、両端部を折り曲げて形成されている。そして、その板ばね２７の一端部（上端部）が挿入部２１の上壁の内面（図１では裏面）に係止され、他端部（下端部）の折り曲げ部位が支軸１８に掛止されている。さらに板ばね２７の一端部の両側縁が前記取付溝２６に係止されている。
【００２４】
図４〜図６に示すように、支軸１８が取付体長孔２０及び脚本体長孔２３内を移動し、挿入部２１の上壁と支軸１８との間の距離が短くなると、板ばね２７は圧縮されるようになっている。さらに、圧縮された板ばね２７の原形状への復元力により挿入部２１の上壁及び支軸１８が押圧されるようになっている。
【００２５】
図３に示すように、各脚本体１７の一端側は、前記挿入部２１が形成されることにより段差状に形成され、その段差部にはそれぞれ平坦面状をなす荷重受け部１７ａが形成されている。前記荷重受け部１７ａは、挿入部２１を挿入空間Ｓ内へ挿入したとき、取付片１６ａの下面に当接し、同取付片１６ａを介して支持枠１２の荷重を支えるように形成されている。
【００２６】
上記構成の櫓１０の脚体１３において、図１に示すように、取付体１６の挿入空間Ｓ内に脚本体１７の挿入部２１が挿入され、嵌合孔１６ｃに嵌合突部２４が嵌合するとともに、嵌合溝１６ｄに嵌合突起２５が嵌合した状態を、脚本体１７が支持枠１２に対して起立する起立位置とする。この起立位置は櫓１０の使用状態であって、前記二箇所の嵌合により形成される規制手段によって、脚本体１７の回動が規制されている。また、支軸１８は取付体長孔２０の一端（図１では左端）の内周面に当接し、起立位置で上下方向に延びる脚本体長孔２３のほぼ中央に位置している。
【００２７】
一方、図６に示すように、ガイド凸部２２がガイド溝１９の係合凹部１９ａに係合した状態を、脚本体１７が支持枠１２内方へ折り畳まれた折り曲げ位置とする。この折り曲げ位置では、前記係合により形成される保持手段によって、脚本体１７の回動が規制され、同折り曲げ位置に保持されている。また、支軸１８は取付体長孔２０の他端（図６では右端）の内周面に当接し、折り曲げ位置で横方向に延びる脚本体長孔２３の一端側（図６では左端側）に位置している。
【００２８】
加えて、脚本体１７の折り曲げ位置では、板ばね２７は圧縮され、その圧縮された板ばね２７の原形状への復元力により、脚本体１７は前記起立位置へ回動する方向に付勢されている。
【００２９】
図２に示すように、四体の脚本体１７がそれぞれ脚体取付部１５ａに固定された取付体１６に取り付けられることにより、支持枠１２の四隅部に脚体１３が回動可能に取り付けられている。そして、脚本体１７は櫓１０の使用状態にある起立位置と、非使用時の保管収納の場合や座卓として用いる状態にある折り曲げ位置との二位置を変位可能に形成されている。
【００３０】
次に、上記櫓１０の脚体１３の作用について説明する。
図１に示す前記起立位置にある脚本体１７を折り曲げ位置に配置するには、まず、図４に示すように、脚本体１７を下方へ引っ張り、挿入部２１を挿入空間Ｓ内から少しだけ引き出す。このとき、ガイド凸部２２がガイド溝１９によって真下へ案内されながら移動するため、脚本体１７は真下へ移動するように案内される。さらに、嵌合突部２４が嵌合孔１６ｃから離脱されるとともに、嵌合溝１６ｄから嵌合突起２５が離脱され、規制手段による脚本体１７の回動が規制された状態が解除される。
【００３１】
脚本体１７が取付体１６内から下方に向かって引き出されたとき、支軸１８は横方向へ延びる取付体長孔２０内に挿通されているため下方へ移動しない。また、支軸１８に対して脚本体長孔２３が沿うように脚本体１７が下方へ移動するため、支軸１８が脚本体長孔２３の中央より一端側（図４では上端側）に位置する。すると、支軸１８に対して挿入部２１の上壁下面が近づくように脚本体１７が移動されるため、板ばね２７が圧縮される。
【００３２】
続けて、図５に示すように、脚本体１７を支持枠１２の内方へ向かって折り曲げると、ガイド凸部２２がガイド溝１９によって真下へ移動するように案内される。また、取付体長孔２０により支軸１８の横方向への移動が許容されている。そのため、ガイド溝１９によるガイド凸部２２の案内及び支軸１８の取付体長孔２０内での移動によって、脚本体１７は挿入空間Ｓ内から斜め下方へ押し出されるように回動される。さらに、その脚本体１７の回動に伴い挿入部２１が傾倒されていき、挿入部２１内の板ばね２７も傾倒される。
【００３３】
板ばね２７の傾倒に伴い支軸１８が板ばね２７の他端部により取付体長孔２０の他端側（図５では右端側）へ押圧され、同支軸１８は取付体長孔２０の他端側へ移動される。また、脚本体１７の回動により、支軸１８に対して挿入部２１の上壁裏面が近づくため、板ばね２７が支軸１８を押圧するが、支軸１８は取付体長孔２０の内周下面に当接しているため、下方へ移動せず、板ばね２７はさらに圧縮される。
【００３４】
そして、図６に示すように、脚本体１７がさらに回動され、ガイド凸部２２がガイド溝１９の中央より下側の幅広な位置に配置されると、圧縮された板ばね２７の原形状への復元力により、支軸１８及び挿入部２１の上壁裏面がそれぞれ押圧される。その結果、支軸１８が取付体長孔２０の他端側の内周面に当接し、ガイド凸部２２が係合凹部１９ａの内周面に係合する。
【００３５】
ガイド凸部２２が係合凹部１９ａに係合すると、脚本体１７の支持枠１２の内方へ向かったそれ以上の回動が規制され、脚本体１７が折り曲げ位置に配置される。また、板ばね２７は支軸１８と、挿入部２１の上壁裏面との間で挟持圧縮されているため、板ばね２７の付勢力によりガイド凸部２２が係合凹部１９ａに係合する方向に付勢される。そして、板ばね２７の付勢力によりガイド凸部２２の係合凹部１９ａに対する係合状態が維持され、保持手段により、脚本体１７が折り曲げ位置が保持される。
【００３６】
次に、折り曲げ位置にある脚本体１７を起立位置に配置するには、まず、脚本体１７を支持枠１２の内方から外方へ向かうように回動させると、図５に示すように、係合凹部１９ａの内周面により、ガイド凸部２２がガイド溝１９内に案内される。このとき、脚本体長孔２３の一端内周面が支軸１８に近づくように脚本体１７は回動するが、支軸１８は取付体長孔２０の他端内周面に当接しているため移動しない。その結果、支軸１８に対して挿入部２１の上壁の裏面が若干近づくように脚本体１７が回動し、板ばね２７は若干圧縮される。
【００３７】
そして、ガイド凸部２２がガイド溝１９内に挿入されると、圧縮された板ばね２７は原形状に若干復帰され、その復元力により支軸１８及び挿入部２１の上壁の裏面が押圧される。このとき、支軸１８は取付体長孔２０の内周下面に当接しているため、支軸１８は下方へ移動されず、板ばね２７の復元力により挿入部２１の上壁裏面が上方へ押圧され、脚本体１７は上方へ付勢される。
【００３８】
脚本体１７が板ばね２７によって上方へ付勢されると、ガイド溝１９によりガイド凸部２２が真上へ移動するように案内されるため、脚本体１７は挿入部２１が傾倒した状態から上下方向に延びる状態に近づくように回動される。即ち、脚本体１７は板ばね２７により、当該脚本体１７が起立位置方向へ回動するように付勢される。脚本体１７が回動されると、板ばね２７も傾倒した状態から上下方向に延びる状態に近づくため、板ばね２７に掛止した支軸１８が取付体長孔２０の一端側へ移動される。
【００３９】
そして、図４に示すように、支軸１８が取付体長孔２０の一端側の内周面に当接すると、脚本体１７の回動は規制され、脚本体１７が支持枠１２に対して起立するように配置される。このとき、板ばね２７は圧縮されているため、支軸１８及び挿入部２１の上壁裏面は板ばね２７によりそれぞれ押圧されるが、支軸１８は取付体長孔２０の内周下面に当接している。そのため、板ばね２７の上方への付勢力により、脚本体１７は上方へ付勢され、さらに、取付体１６内上方へ引き上げられる。
【００４０】
脚本体１７が引き上げられると、図１に示すように、嵌合突部２４が嵌合孔１６ｃに嵌合し、嵌合溝１６ｄに嵌合突起２５が嵌合される。その結果、脚本体１７が取付体１６に対して起立位置に配置される。この起立位置において、板ばね２７の上方への付勢力により、脚本体１７が取付体１６内上方へ付勢され、規制手段の各嵌合が維持され、起立状態が保持される。
【００４１】
上記実施形態の櫓１０の脚体１３によれば、以下のような特徴を得ることができる。
（１）取付体１６に形成された嵌合孔１６ｃ及び嵌合溝１６ｄと、脚本体１７に形成された嵌合突部２４及び嵌合突起２５との嵌合により形成される規制手段によって脚本体１７を起立位置に保持することができる。また、脚本体１７を下方へ引っ張って規制手段による規制を解除した後、脚本体１７を回動させることにより、脚本体１７を起立位置から折り曲げ位置に配置することができる。従って、脚体を起立位置に保持するために別部材の作動子を必要とし、脚体を起立位置から折り曲げ位置に配置するために別部材のロック釦を必要とした従来と異なり、櫓１０の脚体１３を形成する部品点数を少なくすることができ、構造を簡易化することができる。
【００４２】
（２）取付体１６及び脚本体１７はそれぞれ合成樹脂材料により形成されているため、金属材料製の上ヒンジ体、下ヒンジ体等を使用して櫓に脚体を取り付けていた従来と異なり、櫓こたつ１１の製造コストの節約を図ることができる。
【００４３】
（３）板ばね２７の復元力により、脚本体１７を折り曲げ位置から起立位置へ回動する方向へ付勢して半自動的に回動させることができる。従って、起立位置まで脚体を最後まで手で押していた従来と異なり、脚本体１７を起立位置へ回動させる作業を容易に行うことができる。
【００４４】
（４）脚本体１７が起立位置にあるとき、板ばね２７の付勢力により規制手段の各嵌合を維持することができる。一方、脚本体１７が折り曲げ位置にあるとき、板ばね２７の付勢力により保持手段の係合を維持することができる。従って、板ばね２７の一部材で脚本体１７を付勢する機能及び規制及び保持手段を維持する機能を発揮することができ、各機能を別々の部材で発揮させる場合と比較して櫓１０の脚体１３を形成する部品点数を少なくすることができる。
【００４５】
（５）ガイド溝１９にガイド凸部２２を案内させることにより、脚本体１７を取付体１６内から押し出すように回動させることができるとともに、脚本体１７が取付体１６内の上方へ入り込むように回動させることができる。
【００４６】
（６）挿入部２１内に板ばね２７を収納することができるため、脚本体１７の回動を付勢する機構に引っ張りバネを使用する場合と比較して、脚本体１７の取付構造を小型化することができる。
【００４７】
（７）挿入空間Ｓ内に挿入部２１が挿入された状態で脚体１３は支持枠１２を支持するため、櫓こたつ１１の使用時に、脚本体１７を折り曲げ位置へ回動させる力が作用しても脚本体１７が容易に回動してしまうといった不都合を防止することができる。
【００４８】
（８）取付体長孔２０と、脚本体長孔２３とを互いに交差するように形成した。そのため、脚本体１７の回動に伴う支軸１８の移動を取付体長孔２０により許容し、支軸１８に対する脚本体１７の移動を脚本体長孔２３により許容することができる。従って、脚本体１７をガイド溝１９にガイド凸部２２を案内させながら円滑に回動させることができる。さらに、脚本体１７が折り曲げ位置に配置されたとき、脚本体長孔２３が横方向に延びるように形成したため、ガイド凸部２２が係合凹部１９ａに係合する方向への脚本体１７の移動を許容して確実に係合させることができる。
【００４９】
（９）取付体長孔２０を横方向へ延びるように形成したため、脚本体１７の折り曲げ位置への回動時に、支軸１８の下方への移動を規制して板ばね２７を確実に圧縮することができる。さらに、脚本体１７が折り曲げ位置に配置されたときは、支軸１８が取付体長孔２０の内周面に当接するため、支軸１８の側方への移動を規制して挿入部２１の上壁の裏面との間で板ばね２７を確実に圧縮することができる。
【００５０】
（１０）脚本体１７が起立位置に配置されたとき、嵌合突部２４と嵌合孔１６ｃ及び嵌合溝１６ｄと嵌合突起２５の二箇所に嵌合箇所を形成することができるため、脚本体１７が折り曲げ位置へ容易に回動してしまう不都合を効果的に防止することができる。
【００５１】
（１１）脚本体１７が折り曲げ位置に配置されたとき、係合凹部１９ａとガイド凸部２２との係合により、脚本体１７が起立位置へ容易に回動してしまう不都合を効果的に防止することができる。
【００５２】
なお、上記実施形態は以下のように変更してもよい。
・　実施形態では、嵌合突部２４と嵌合孔１６ｃ及び嵌合溝１６ｄと嵌合突起２５の二箇所に規制手段を形成したが、嵌合突部２４と嵌合孔１６ｃ及び嵌合溝１６ｄと嵌合突起２５のいずれか一方の嵌合により規制手段を形成してもよい。
【００５３】
・　実施形態では、付勢部材を板ばね２７に具体化したが、図７に示すように、金属製の線材を折り曲げ形成したばね材２９を付勢部材としてもよい。又は図８に示すように、金属製の板材を曲げ形成した板ばね３０を付勢部材としてもよい。図８において、板ばね３０の一端は挿入部２１の側壁内面に膨出形成された掛止部３１に掛止されている。
【００５４】
・　実施形態では、支持体として支持枠１２に具体化したが、四角板状をなす支持板を支持体としてもよく、井桁状をなす囲枠を支持体としてもよい。
・　実施形態では、櫓こたつ１１の櫓１０の脚体１３に具体化したが、テーブル、茶卓等の櫓の脚体に具体化してもよい。
【００５５】
次に上記実施形態から把握できる技術的思想について、それらの効果とともに以下に追記する。
（１）前記起立位置において、前記付勢部材の付勢力により脚本体は取付体内の上方へ付勢され、前記凸部が前記凹部に嵌合する方向に付勢されていることを特徴とする請求項３又は請求項４に記載の櫓の脚体。このように構成した場合、付勢部材の一部材で脚本体を折り曲げ位置から起立位置へ回動する方向へ付勢する機能及び起立位置における脚本体の回動を規制する機能を発揮させることができ、構造の簡易化を図ることができる。
【００５６】
（２）前記折り曲げ位置において、前記付勢部材の付勢力により脚本体は前記係合凸部が係合凹部に係合する方向に付勢されていることを特徴とする請求項４及び前記技術的思想（１）に記載の櫓の脚体。このように構成した場合、付勢部材の一部材で脚本体を折り曲げ位置から起立位置へ回動する方向へ付勢する機能及び折り曲げ位置に脚本体を保持する機能を発揮させることができ、構造の簡易化を図ることができる。
【００５７】
（３）前記取付体の側壁の内側面には上下方向に延びるガイド溝が形成され、そのガイド溝に脚本体の挿入部の外面に形成されたガイド凸部が配置されていることを特徴とする請求項２〜請求項４、前記技術的思想（１）及び（２）のいずれか一項に記載の櫓の脚体。このように構成した場合、ガイド溝によりガイド凸部が上下方向に移動するように案内されるため、脚本体を取付体内から押し出されるように回動させることができるとともに、取付体内に入り込むように回動させることができる。
【００５８】
【発明の効果】
以上、詳述したように、請求項１に記載の発明によれば、部品点数を少なくすることができ、構造を簡易化することができる。
【００５９】
請求項２に記載の発明によれば、請求項１に記載の発明の効果に加え、脚本体の回動に伴う支軸の移動を取付体長孔により許容し、支軸に対する脚本体の移動を脚本体長孔により許容することができ、脚本体を円滑に回動させることができる。
【００６０】
請求項３に記載の発明によれば、請求項１又は請求項２に記載の発明の効果に加え、規制手段により脚本体が折り曲げ位置へ容易に回動してしまう不都合を効果的に防止することができる。
【００６１】
請求項４に記載の発明によれば、請求項１〜請求項３のいずれか一項に記載の発明の効果に加え、保持手段により脚本体が起立位置へ容易に回動してしまう不都合を効果的に防止することができる。
【図面の簡単な説明】
【図１】実施形態の櫓の脚体を示す部分側断面図。
【図２】実施形態の櫓こたつを示す側面図。
【図３】実施形態の脚体取付部、取付体及び脚本体を示す分解斜視図。
【図４】脚本体を取付体内から引き出した状態を示す部分側断面図。
【図５】脚本体を折り曲げ位置方向へ回動させた状態を示す部分側断面図。
【図６】折り曲げ位置にある脚本体を示す部分側断面図。
【図７】別例の櫓の脚体を示す部分側断面図。
【図８】別例の櫓の脚体を示す部分側断面図。
【符号の説明】
１０…櫓、１２…支持体としての支持枠、１３…脚体、１５ａ…脚体取付部、１６…取付体、１６ｃ…規制手段を形成する凹部としての嵌合孔、１６ｄ…規制手段を形成する凹部としての嵌合溝、１７…脚本体、１８…支軸、１９ａ…保持手段を形成する係合凹部、２０…取付体長孔、２１…挿入部、２２…保持手段を形成する係合凸部としてのガイド凸部、２３…脚本体長孔、２４…規制手段を形成する凸部としての嵌合突部、２５…規制手段を形成する凸部としての嵌合突起、２７，３０…付勢部材としての板ばね、２９…付勢部材としてのばね材。
【図１】
2004065588.tif 000003
【図２】
2004065588.tif 000004
【図３】
2004065588.tif 000005
【図４】
2004065588.tif 000006
【図５】
2004065588.tif 000007
【図６】
2004065588.tif 000008
【図７】
2004065588.tif 000009
【図８】
2004065588.tif 000010